(57)【要約】【課題】揺れ動かすことができる造形物を内包するおもちゃボールの提供。【解決手段】揺れ動かすことができる造形物を内包するおもちゃボールであり、以下のものが含まれる。透明の中空球体表層があり、且つその表層に開閉口がある。造形物が一つあり、それはあるブロック体と繋いでいる糸と接続されている上に、前記透明球体の中空部分に設置されている。グリッターパウダーを混入した液体を開閉口から注入し、また、前記球体表面の内の中空部分がいっぱいになるまで注入する。ボールが振動を受けると、内部にあるグリッターパウダーがあっちこっち浮遊するようになり、且つ造形物が糸に引っ張られながら動いているため、おもちゃボールのビジュアル効果を向上できる。【選択図】図２
0003135480.tif 000002
【実用新案登録請求の範囲】
【請求項１】
透明且つ中空の球体表層、造形物及び液体を含み、
該透明且つ中空の球体表層には開閉口があり、
該造形物はブロック体と繋いでいる糸と接続されている上に、透明な球体表層の内部の中空部分に設置され、
該液体は球体表面の内部の中空部分をいっぱいになるまで注入されることを特徴とする揺れ動かすことができる造形物を内包するおもちゃボール。
【請求項２】
当該造形物の密度は液体の密度より低いことを特徴とする請求項１記載の揺れ動かすことができる造形物を内包するおもちゃボール。
【請求項３】
当該ブロック体の密度は液体の密度より高いことを特徴とする請求項１記載の揺れ動かすことができる造形物を内包するおもちゃボール。
【請求項４】
当該糸は軟らかい、曲がる且つ折れにくいことを特徴とする請求項１記載の揺れ動かすことができる造形物を内包するおもちゃボール。
【請求項５】
当該液体にはさらに装飾品が入れられていることを特徴とする請求項１記載の揺れ動かすことができる造形物を内包するおもちゃボール。
【請求項６】
当該透明の中空球体表層は、透明のポリウレタン製の中空タイプの球体の表層であることを特徴とする請求項１記載の揺れ動かすことができる造形物を内包するおもちゃボール。
【請求項７】
当該開閉口は逆止めバルブの開閉口であることを特徴とする請求項１記載の揺れ動かすことができる造形物を内包するおもちゃボール。
【考案の詳細な説明】
【技術分野】
【０００１】
本考案はおもちゃボールを提供し、特に透明のPU製球体の中に造形物が内包されているおもちゃボールを指す。当該造形物は装飾用として球体内部にある液体の流動に従い浮遊かつ移動することができる。
【背景技術】
【０００２】
図１に周知のおもちゃボールが示されている。それは透明の中空球体Ａの中に造形物Ｂを装入する。当該造形物Ｂは一体成型であり、かつレバーＢ１が付いている。球体Ａを成型する前に、前記レバーＢ１を金型の中に差し込んで、中空球体Ａを成型した後、造形物ＢのレバーＢ１が球体の壁に固定されるようになる。その後、球体Ａの表面にある開閉口Ｃを利用して球体Ａの中に液体を注入する。
【０００３】
このようなおもちゃボールの内部には造形物が装着されているため、真ん中が完全にがっちりした伝統の弾力ボールより新奇性がある。但し、球体の内部に固定された造形物が一つしかないため、ボールを投げた後造形物が同じ位置にあるままで、球体の内部には変化が何も起こらない。子供が繰り返してボールを投げて遊び続けると、その新奇性を失いやすい。
【考案の開示】
【考案が解決しようとする課題】
【０００４】
上記おもちゃボールの乏しい変化に鑑み、本考案の目的は揺れ動かすことができる造形物を内包するおもちゃボールを設計することである。ボールの中に液体があり、ボールが振動を受けると、または揺れ動かすと、当該造形物は浮遊または移動する。
【０００５】
本考案が提供するおもちゃボールには、透明の中空球体表層があり、且つその表層に開閉口がある。造形物が一つある。それはあるブロック体と繋いでいる糸と接続されている上に、前記透明球体の中空部分に設置されている。グリッターパウダーを混入した液体を開閉口から注入する。また、前記球体表面の内の中空部分がいっぱいになるまで注入する。ボールが振動を受けると、内部にあるグリッターパウダーがあっちこっち浮遊するようになる。且つ造形物が糸に引っ張られながら動いているため、おもちゃボールのビジュアル効果を向上できる。
【０００６】
本考案のおもちゃボールの内部に注入される液体にはぴかぴかの装飾品を混入している。球体が振動を受けると、それらの装飾品があっちこっち浮遊し始まる。ある金属のブロック体と繋いでいる糸と接続されている造形物は、球体が振動を受けると、その造形物がブロック体と一緒に浮遊し始まる。但し、球体がいかに揺れ動いても、または跳ね上がっても、地球重力の影響で、最終的にブロック体が落下し球体の壁とタッチする。造形物は糸に引っ張られているため、且つ液体の浮力の影響で立てるままになる。造形物は糸と接続されているため、わずかに動く。よって、本考案のおもちゃボールは周知のそれより新奇的なビジュアル効果がある。
【課題を解決するための手段】
【０００７】
請求項１の考案は、透明且つ中空の球体表層、造形物及び液体を含み、
該透明且つ中空の球体表層には開閉口があり、
該造形物はブロック体と繋いでいる糸と接続されている上に、透明な球体表層の内部の中空部分に設置され、
該液体は球体表面の内部の中空部分をいっぱいになるまで注入されることを特徴とする揺れ動かすことができる造形物を内包するおもちゃボールとしている。
請求項２の考案は、当該造形物の密度は液体の密度より低いことを特徴とする請求項１記載の揺れ動かすことができる造形物を内包するおもちゃボールとしている。
請求項３の考案は、当該ブロック体の密度は液体の密度より高いことを特徴とする請求項１記載の揺れ動かすことができる造形物を内包するおもちゃボールとしている。
請求項４の考案は、当該糸は軟らかい、曲がる且つ折れにくいことを特徴とする請求項１記載の揺れ動かすことができる造形物を内包するおもちゃボールとしている。
請求項５の考案は、当該液体にはさらに装飾品が入れられていることを特徴とする請求項１記載の揺れ動かすことができる造形物を内包するおもちゃボールとしている。
請求項６の考案は、当該透明の中空球体表層は、透明のポリウレタン製の中空タイプの球体の表層であることを特徴とする請求項１記載の揺れ動かすことができる造形物を内包するおもちゃボールとしている。
請求項７の考案は、当該開閉口は逆止めバルブの開閉口であることを特徴とする請求項１記載の揺れ動かすことができる造形物を内包するおもちゃボールとしている。
【考案の効果】
【０００８】
本考案は揺れ動かすことができる造形物を内包するおもちゃボールは球体内部に浮遊している造形物及び装飾品を利用して、より新奇的なビジュアル効果を作り出す。さらに、逆止めバルブを開閉口のところに使うので、注入した後、液体が球体の外まで流れ出ることを防ぐことができる。その上に、PUの回転式成型にて作成されたものなので、大幅に生産コストをダウンすることもできる。
【考案を実施するための最良の形態】
【０００９】
図２を参照する。本考案の好ましい実施例の立体図である。本考案には、透明のポリウレタン（Ｐｏｌｙｕｒｅｔｈａｎｃ，ＰＵ）製の中空の球体表層１があり、その表面に開閉口１１がある。球体表層１の内部の中空部分をいっぱいになるまで注入する液体２がある。ビジュアル効果を高めるように、液体２の中にぴかぴかの装飾品３を混入することができる。その装飾品３はグリッターパウダーまたは幾何形状にカットされたスパンコールを使える。球体表層１の内部の中空部分に造形物４を装入することができる。その造形物４は液体２より密度の低い人形キャラクター、飛行機、動物などを使える。また、造形物４はブロック体５と繋いでいる糸６と接続されている。そのブロック体５は液体２より密度の高い金属を選んで作成される。その糸６は軟らかい且つ折れにくい糸材を使えばよい。例えば、釣り糸。
【００１０】
本考案の実施方法では、上下半球体のある金属またはプラスチック金型を利用して、上下成型金型の表面に離型剤を吹きつけてから、一つに組立られた造形物４、糸６及びブロック体５を上型に設置し、その後ＰＵ材料を下型に注入する。使用する材料の量は球体の大きさ及び厚みによって決まる。上下金型を密閉に閉じてから、回転式の成型機に据付る。遠心力によってＰＵ材料が金型の空洞の内壁に付着し、徐々に中空タイプの球体表層１ができるようになる。固まった後の中空の球体表層１は直接に造形物４を包む。造形物４が糸６、ブロック体５と一緒に球体表層１から引き離され、球体の内部で移動できるようになる。開閉口１１のところについて、開閉口１１を装着する前に装飾品３を混入した液体を球体表面１の内部の中空部分に注入する。開閉口１１を装着してから、液体が球体の外まで漏れないように閉じることができる。
【００１１】
ボールが投げ出されると、地球重力の影響で落下し地面とタッチする。地面から伝えてきた衝撃があるから、内部が激しい振動を受ける。よって、ボール内部の造形物４はブロック体５、装飾品３と一緒に動いて浮遊しはじまる（図３に示されている如く）。但し、球体がいかに揺れ動いているまたは跳ね上がっているにもかかわらず、地球重力の影響で、最終的にブロック体５が落下し球体の壁とタッチする。造形物４は糸６に引っ張られているため、且つ液体２の浮力の影響で立ったままになる。造形物４は糸６と接続されているため、液体２の流れに従いわずかに動く。球体内の装飾品３はあっちこっち浮遊する。
【００１２】
よって、本考案は球体内部に浮遊している造形物及び装飾品を利用して、より新奇的なビジュアル効果を作り出す。さらに、逆止めバルブを開閉口のところに使うので、注入した後、液体が球体の外まで流れ出ることを防ぐことができる。その上に、ＰＵの回転式成型にて作成されたものなので、大幅に生産コストをダウンすることもできる。
【図面の簡単な説明】
【００１３】
【図１】周知の造形物を入れるおもちゃボールの断面図である。
【図２】本考案の揺れ動かすことができる造形物を内包するおもちゃボールの立体図である。
【図３】本考案の揺れ動かすことができる造形物を内包するおもちゃボールが振動を受ける状態を示す図面である。
【符号の説明】
【００１４】
１  球体表層
１１  開閉口
２  液体
３  装飾品
４  造形物
５  ブロック体
６  糸
Ａ  球体
Ｂ  造形物
Ｂ１  レバー
Ｃ  開閉口
【図１】
0003135480.tif 000003
【図２】
0003135480.tif 000004
【図３】
0003135480.tif 000005
【手続補正書】
【提出日】平成19年7月11日(2007.7.11)
【手続補正１】
【補正対象書類名】実用新案登録請求の範囲
【補正対象項目名】全文
【補正方法】変更
【補正の内容】
【実用新案登録請求の範囲】
【請求項１】
一種の造形物を内包するおもちゃボールにおいて、透明且つ中空の球体表層、造形物、糸、ブロック体及び液体を含み、
該透明且つ中空の球体表層には開閉口があり、
該造形物は該糸により該ブロック体と接続され、該糸及び該ブロック体と共に、透明な球体表層の内部の中空部分に設置され、
該液体は球体表面の内部の中空部分をいっぱいになるまで注入されることを特徴とする揺れ動かすことができる造形物を内包するおもちゃボール。
【請求項２】
当該造形物の密度は液体の密度より低いことを特徴とする請求項１記載の揺れ動かすことができる造形物を内包するおもちゃボール。
【請求項３】
当該ブロック体の密度は液体の密度より高いことを特徴とする請求項１記載の揺れ動かすことができる造形物を内包するおもちゃボール。
【請求項４】
当該糸は軟らかい、曲がる且つ折れにくいことを特徴とする請求項１記載の揺れ動かすことができる造形物を内包するおもちゃボール。
【請求項５】
当該液体にはさらに装飾品が入れられていることを特徴とする請求項１記載の揺れ動かすことができる造形物を内包するおもちゃボール。
【請求項６】
当該透明の中空球体表層は、透明のポリウレタン製の中空タイプの球体の表層であることを特徴とする請求項１記載の揺れ動かすことができる造形物を内包するおもちゃボール。
【請求項７】
当該開閉口は逆止めバルブの開閉口であることを特徴とする請求項１記載の揺れ動かすことができる造形物を内包するおもちゃボール。
【手続補正２】
【補正対象書類名】明細書
【補正対象項目名】０００７
【補正方法】変更
【補正の内容】
【０００７】
請求項１の考案は、一種の造形物を内包するおもちゃボールにおいて、透明且つ中空の球体表層、造形物、糸、ブロック体及び液体を含み、
該透明且つ中空の球体表層には開閉口があり、
該造形物は該糸により該ブロック体と接続され、該糸及び該ブロック体と共に、透明な球体表層の内部の中空部分に設置され、
該液体は球体表面の内部の中空部分をいっぱいになるまで注入されることを特徴とする揺れ動かすことができる造形物を内包するおもちゃボールとしている。
請求項２の考案は、当該造形物の密度は液体の密度より低いことを特徴とする請求項１記載の揺れ動かすことができる造形物を内包するおもちゃボールとしている。
請求項３の考案は、当該ブロック体の密度は液体の密度より高いことを特徴とする請求項１記載の揺れ動かすことができる造形物を内包するおもちゃボールとしている。
請求項４の考案は、当該糸は軟らかい、曲がる且つ折れにくいことを特徴とする請求項１記載の揺れ動かすことができる造形物を内包するおもちゃボールとしている。
請求項５の考案は、当該液体にはさらに装飾品が入れられていることを特徴とする請求項１記載の揺れ動かすことができる造形物を内包するおもちゃボールとしている。
請求項６の考案は、当該透明の中空球体表層は、透明のポリウレタン製の中空タイプの球体の表層であることを特徴とする請求項１記載の揺れ動かすことができる造形物を内包するおもちゃボールとしている。
請求項７の考案は、当該開閉口は逆止めバルブの開閉口であることを特徴とする請求項１記載の揺れ動かすことができる造形物を内包するおもちゃボールとしている。